(57)【要約】【課題】この発明は、簡易な構成で盗難や不正使用等から十分に保護することを可能とするとともに、所有者に対しても取り扱いの自由度を高めて実用に好適するようにした投射型表示装置及びその制御方法を提供することを目的としている。【解決手段】入力されたパスワードが予め設定されたパスワードに一致したとき、本体部（１２）を起動可能状態に制御するパスワード手段（１４，２２，３０）を備え、このパスワード手段（１４，２２，３０）がオフ状態に設定されているときであっても、本体部（１２）に対して着脱自在に構成されるコントロールパネル（１６）が本体部（１２）に装着されていない状態では、本体部（１２）の起動を要求する操作に応じてパスワードの入力を要求するように制御する。【選択図】    図６
2008033038.tif 000002
【特許請求の範囲】
【請求項１】
投射レンズを備えた本体部と、
前記本体部の起動を要求する操作に応じてパスワードの入力を要求し、入力されたパスワードが予め設定されたパスワードに一致したとき前記本体部を起動可能状態に制御するパスワード手段と、
前記パスワード手段を、前記本体部の起動を要求する操作に応じてパスワードの入力を要求するオン状態と、パスワードの入力を要求することなく前記本体部を起動可能状態に制御するオフ状態とに選択的に設定するためのパスワード機能設定手段と、
前記本体部に対して着脱自在に構成されるもので、前記本体部に装着され、かつ、前記本体部が起動可能状態に制御されているときに、前記本体部を所定の動作状態または停止状態に制御可能な操作部を有するコントロールパネルと、
前記パスワード機能設定手段により前記パスワード手段がオフ状態に設定されているときであっても、前記コントロールパネルが前記本体部に装着されていない状態では、前記本体部の起動を要求する操作に応じてパスワードの入力を要求するように制御する制御手段とを具備することを特徴とする投射型表示装置。
【請求項２】
前記制御手段は、前記パスワード機能設定手段により前記パスワード手段がオフ状態に設定されている場合、前記コントロールパネルが前記本体部に装着されている状態では、前記本体部の起動を要求する操作に応じてパスワードの入力を要求することなく前記本体部を起動可能状態に制御することを特徴とする請求項１記載の投射型表示装置。
【請求項３】
前記制御手段は、前記パスワード機能設定手段により前記パスワード手段がオン状態に設定されている場合、前記コントロールパネルが前記本体部に装着されているか装着されていないかに無関係に、前記本体部の起動を要求する操作に応じてパスワードの入力を要求するように制御することを特徴とする請求項１記載の投射型表示装置。
【請求項４】
前記本体部に対して前記コントロールパネルが装着されているか装着されていないかを検出する検出手段を備え、
前記制御手段は、前記パスワード機能設定手段により前記パスワード手段がオフ状態に設定されているときであっても、前記検出手段により前記本体部に対して前記コントロールパネルが装着されていないことが検出されている状態では、前記本体部の起動を要求する操作に応じてパスワードの入力を要求するように制御することを特徴とする請求項１記載の投射型表示装置。
【請求項５】
前記コントロールパネルの操作部は、前記本体部の起動を要求する操作を行なうためのキーを含むことを特徴とする請求項１記載の投射型表示装置。
【請求項６】
前記本体部の起動を要求する操作を行なうためのキーは、起動可能状態に制御されている前記本体部を、所定の動作状態または停止状態に遠隔操作可能なリモートコントローラに設けられることを特徴とする請求項１記載の投射型表示装置。
【請求項７】
前記パスワードは、前記リモートコントローラによって入力されることを特徴とする請求項６記載の投射型表示装置。
【請求項８】
前記コントロールパネルに前記パスワードを表示する表示手段を備えることを特徴とする請求項１記載の投射型表示装置。
【請求項９】
セキュリティレベルを第１のレベルと前記第１のレベルよりも高い第２のレベルとに選択的に設定するためのセキュリティレベル設定手段を備え、
前記制御手段は、前記パスワード機能設定手段により前記パスワード手段がオン状態に設定され、かつ、前記セキュリティレベル設定手段により前記セキュリティレベルが第２のレベルに設定されている場合、前記コントロールパネルが前記本体部に装着されていない状態では、前記本体部を起動不可状態に制御することを特徴とする請求項１記載の投射型表示装置。
【請求項１０】
前記制御手段は、前記パスワード機能設定手段により前記パスワード手段がオン状態に設定され、かつ、前記セキュリティレベル設定手段により前記セキュリティレベルが第２のレベルに設定されている場合、前記コントロールパネルが前記本体部に装着されている状態では、前記本体部の起動を要求する操作に応じてパスワードの入力を要求するように制御することを特徴とする請求項９記載の投射型表示装置。
【請求項１１】
前記制御手段は、前記パスワード機能設定手段により前記パスワード手段がオン状態に設定され、かつ、前記セキュリティレベル設定手段により前記セキュリティレベルが第１のレベルに設定されている場合、前記コントロールパネルが前記本体部に装着されているか装着されていないかに無関係に、前記本体部の起動を要求する操作に応じてパスワードの入力を要求するように制御することを特徴とする請求項９記載の投射型表示装置。
【請求項１２】
投射レンズを備えた本体部と、
前記本体部の起動を要求する操作に応じてパスワードの入力を要求し、入力されたパスワードが予め設定されたパスワードに一致したとき前記本体部を起動可能状態に制御するパスワード手段と、
前記パスワード手段を、前記本体部の起動を要求する操作に応じてパスワードの入力を要求するオン状態と、パスワードの入力を要求することなく前記本体部を起動可能状態に制御するオフ状態とに選択的に設定するためのパスワード機能設定手段と、
前記本体部に対して着脱自在に構成されるもので、前記本体部に装着され、かつ、前記本体部が起動可能状態に制御されているときに、前記本体部を所定の動作状態または停止状態に制御可能な操作部を有するコントロールパネルとを備えた投射型表示装置を制御する方法であって、
前記本体部の起動を要求する操作に応じて、前記パスワード機能設定手段により前記パスワード手段がオフ状態に設定されているか否かを判別する第１の工程と、
前記第１の工程で前記パスワード手段がオフ状態に設定されていると判断されたとき、前記コントロールパネルが前記本体部に装着されているか否かを判別する第２の工程と、
前記第２の工程で前記コントロールパネルが前記本体部に装着されていないと判断されたとき、前記パスワードの入力を要求する第３の工程とを具備することを特徴とする投射型表示装置の制御方法。
【請求項１３】
セキュリティレベルを第１のレベルと前記第１のレベルよりも高い第２のレベルとに選択的に設定するためのセキュリティレベル設定手段を備え、
前記第３の工程は、前記パスワード手段がオン状態に設定され、かつ、前記セキュリティレベルが第２のレベルに設定されている場合、前記コントロールパネルが前記本体部に装着されていない状態では、前記本体部を起動不可状態に制御することを特徴とする請求項１２記載の投射型表示装置の制御方法。
【発明の詳細な説明】
【技術分野】
【０００１】
この発明は、例えば液晶カラープロジェクタ等に代表される投射型表示装置及びその制御方法の改良に関する。
【背景技術】
【０００２】
周知のように、首記の如き投射型表示装置は、大スクリーンに対して情報の拡大表示が可能であることから、多くの人々に一斉に情報を視認させる際に便利である。このため、投射型表示装置は、例えば、学校、会社、多目的ホール等のような、多数の人が出入りする場所に設置される機会が多くなっている。
【０００３】
この場合、投射型表示装置を、盗難、いたずら、不正使用等から保護するために、現状では、種々の対策が考えられている。例えば、特許文献１には、機器本体に対して操作パネルを着脱自在とし、操作パネルＩＤが一致した操作パネルのみによる操作を可能とさせるようにした電子機器の構成が開示されている。
【特許文献１】特開２００５−１９２０９５
【発明の開示】
【発明が解決しようとする課題】
【０００４】
そこで、この発明は上記事情を考慮してなされたもので、簡易な構成で盗難や不正使用等から十分に保護することを可能とするとともに、所有者に対しても取り扱いの自由度を高めて実用に好適するようにした投射型表示装置及びその制御方法を提供することを目的とする。
【課題を解決するための手段】
【０００５】
この発明に係る投射型表示装置は、投射レンズを備えた本体部と；本体部の起動を要求する操作に応じてパスワードの入力を要求し、入力されたパスワードが予め設定されたパスワードに一致したとき本体部を起動可能状態に制御するパスワード手段と；パスワード手段を、本体部の起動を要求する操作に応じてパスワードの入力を要求するオン状態と、パスワードの入力を要求することなく本体部を起動可能状態に制御するオフ状態とに選択的に設定するためのパスワード機能設定手段と；本体部に対して着脱自在に構成されるもので、本体部に装着され、かつ、本体部が起動可能状態に制御されているときに、本体部を所定の動作状態または停止状態に制御可能な操作部を有するコントロールパネルと；パスワード機能設定手段によりパスワード手段がオフ状態に設定されているときであっても、コントロールパネルが本体部に装着されていない状態では、本体部の起動を要求する操作に応じてパスワードの入力を要求するように制御する制御手段とを備えるようにしたものである。
【０００６】
また、この発明に係る投射型表示装置の制御方法は、投射レンズを備えた本体部と；本体部の起動を要求する操作に応じてパスワードの入力を要求し、入力されたパスワードが予め設定されたパスワードに一致したとき本体部を起動可能状態に制御するパスワード手段と；パスワード手段を、本体部の起動を要求する操作に応じてパスワードの入力を要求するオン状態と、パスワードの入力を要求することなく本体部を起動可能状態に制御するオフ状態とに選択的に設定するためのパスワード機能設定手段と；本体部に対して着脱自在に構成されるもので、本体部に装着され、かつ、本体部が起動可能状態に制御されているときに、本体部を所定の動作状態または停止状態に制御可能な操作部を有するコントロールパネルとを備えた投射型表示装置を制御する方法を対象としている。そして、本体部の起動を要求する操作に応じて、パスワード機能設定手段によりパスワード手段がオフ状態に設定されているか否かを判別する第１の工程と；第１の工程でパスワード手段がオフ状態に設定されていると判断されたとき、コントロールパネルが前記本体部に装着されているか否かを判別する第２の工程と；第２の工程でコントロールパネルが本体部に装着されていないと判断されたとき、パスワードの入力を要求する第３の工程とを備えるようにしたものである。
【発明の効果】
【０００７】
上記した発明によれば、パスワード手段がオフ状態に設定されているときであっても、コントロールパネルが本体部に装着されていない状態では、本体部の起動を要求する操作に応じてパスワードの入力を要求するようにしたので、簡易な構成で盗難や不正使用等から十分に保護することが可能となるとともに、所有者に対しても取り扱いの自由度を高めて実用に適するものとなる。
【発明を実施するための最良の形態】
【０００８】
以下、この発明の実施の形態について図面を参照して詳細に説明する。図１は、この実施の形態で説明するカラープロジェクタ１１の外観を示している。すなわち、このカラープロジェクタ１１は、プロジェクタ本体となる、ほぼ薄型の箱状に形成された据置タイプのキャビネット１２を有している。
【０００９】
そして、このキャビネット１２には、その前面パネル１２ａの一端部に、投射レンズ１３が配置されている。この投射レンズ１３は、キャビネット１２の前面に設置された映像投射面となる後述するスクリーンに、映像化された情報を拡大投射して表示させるためのものである。
【００１０】
また、上記キャビネット１２には、詳細は後述するが、その上面パネル１２ｂに、表示部１４及び操作部１５が配置されている。このうち、表示部１４は、カラープロジェクタ１１の現在の状態を表示したり、カラープロジェクタ１１を各種のモードに設定するためのメニュー画面を表示したりするものである。
【００１１】
さらに、上記操作部１５は、電源キーを備えるとともに、カラープロジェクタ１１を各種の動作状態または停止状態に制御したり、カラープロジェクタ１１を各種のモードに設定したりするための各種のキーを備えている。これらのキーは、ユーザが操作するために上面パネル１２ｂから露出するように設置されている。
【００１２】
ここで、上記のように電源キーを含む各種のキーを備えた操作部１５は、図２に示すように、１つのほぼ板状に形成されたコントロールパネル１６として、キャビネット１２とは別体になるように構成されている。そして、このコントロールパネル１６は、キャビネット１２に対して着脱自在となるように構成されている。
【００１３】
すなわち、キャビネット１２の上面パネル１２ｂの後端側中央部には、上面パネル１２に対しては凹形状を有し、キャビネット１２の後面に対しては開口１７ａされた装着部１７が形成されている。そして、コントロールパネル１６は、キャビネット１２の後面に形成された開口１７ａから、その操作部１５の形成された平面部が、上面パネル１２ｂに平行となるように装着部１７に挿入されることにより、装着部１７に装着可能となる。
【００１４】
この場合、コントロールパネル１６には、その装着部１７への挿入方向に平行する一対の側面１８それぞれに、装着部１７への挿入方向に平行な鍔状のガイド部１９が突設されている。このガイド部１９は、コントロールパネル１６の厚み方向に対して中央部分に形成されている。
【００１５】
また、上記装着部１７には、コントロールパネル１６の挿入方向に平行する一対の側面２０それぞれに、コントロールパネル１６のガイド部１９が挿入されて、コントロールパネル１６の装着部１７への挿入を案内するためのガイド溝２１が形成されている。
【００１６】
これにより、コントロールパネル１６は、そのガイド部１９をガイド溝２１に挿入させるように開口１７ａから装着部１７に挿入され、そのまま、操作部１５の形成された平面部が、上面パネル１２ｂに平行となるように装着部１７内に挿入されることにより、装着部１７に装着可能となる。
【００１７】
なお、上記コントロールパネル１６の操作部１５には、上記投射レンズ１３を介して光投射を行なわせるための電源キー１５ａ、上記表示部１４にメニュー画面を表示させるためのメニューキー１５ｂ、表示部１４に表示されたメニュー画面に含まれる複数の選択肢を選択するための方向キー１５ｃ、方向キー１５ｃで選択した選択肢を決定するための決定キー１５ｄ等が配置されている。
【００１８】
また、上記キャビネット１２には、その前面パネル１２ａに、ワイヤレスのリモートコントローラ２２から送信される操作情報を受信して、キャビネット１２内の信号処理系に伝達する受信部２３が設置されている。このリモートコントローラ２２には、上記投射レンズ１３を介して光投射を行なわせるための電源キー２２ａ、上記表示部１４にメニュー画面を表示させるためのメニューキー２２ｂ、表示部１４に表示されたメニュー画面に含まれる複数の選択肢を選択するための方向キー２２ｃ、方向キー２２ｃで選択した選択肢を決定するための決定キー２２ｄ、テンキー２２ｅ等が配置されている。
【００１９】
ここで、図３に示すように、コントロールパネル１６の装着部１７への挿入方向先端面には、キャビネット１２内の信号処理系と電気的接続を行なうためのコネクタ２４が設置されている。
【００２０】
一方、キャビネット１２の装着部１７には、コントロールパネル１６が装着された状態で、そのコネクタ２４に対応する位置にコネクタ２５が設置されている。これにより、コントロールパネル１６が装着部１７に装着されたとき、コネクタ２４，２５同士が接続されて、コントロールパネル１６とキャビネット１２内の信号処理系との電気的接続が可能となる。
【００２１】
図４は、上記したカラープロジェクタ１１の信号処理系を概略的に示している。すなわち、入力端子２６に供給された映像信号は、映像信号処理部２７に供給されて投射される際に必要な所定の信号処理が施される。
【００２２】
そして、映像信号処理部２７から出力された映像信号は、映像投射部２８に供給されて光学像に変換された後、上記投射レンズ１３を介してスクリーン２９に拡大投射され、ここに、映像表示が行なわれる。
【００２３】
上記したカラープロジェクタ１１の一連の映像投射動作は、制御部３０によって統括的に制御されている。この制御部３０は、例えばＣＰＵ（central processing unit）等を内蔵しているもので、コントロールパネル１６からコネクタ２４，２５を介して受信した操作情報、または、リモートコントローラ２２から受信部２３を介して受信した操作情報に基づいて、その操作内容が反映されるように各部をそれぞれ制御している。
【００２４】
また、この制御部３０は、上記表示部１４を制御して、カラープロジェクタ１１の現在の状態の表示や、カラープロジェクタ１１を各種のモードに設定するためのメニュー画面の表示を行なわせている。
【００２５】
ここで、上記制御部３０は、コントロールパネル１６が装着部１７に装着されているか否か、つまり、コントロールパネル１６のコネクタ２４と装着部１７のコネクタ２５とが接続されているか否かを自動的に検出する接続検出機能を備えている。
【００２６】
すなわち、図５に示すように、コントロールパネル１６のコネクタ２４には、装着部１７のコネクタ２５に接続されているか否かを検出するための専用の検出用端子２４ａが備えられている。また、装着部１７のコネクタ２５にも、コントロールパネル１６のコネクタ２４が接続されているか否かを検出するための専用の検出用端子２５ａが備えられている。これらの各検出用端子２４ａ，２５ａは、コネクタ２４，２５同士が接続されたときに、相互に接続されるように設けられている。
【００２７】
そして、コネクタ２４の検出用端子２４ａは、コントロールパネル１６内で接地されることにより、論理レベルがＬ（Low）となっている。また、コネクタ２５の検出用端子２５ａは、キャビネット１２内で上記制御部３０に接続されるとともに、抵抗Ｒを介して基準電位＋Ｂの印加された電源端子３１に接続されることにより、論理レベルがＨ（High）となっている。
【００２８】
このため、コネクタ２４，２５同士が接続されていなければ、コネクタ２５の検出用端子２５ａの論理レベルがＨであるため、制御部３０は、装着部１７にコントロールパネル１６が装着されていないと判断することができる。また、コネクタ２４，２５同士が接続されていれば、コネクタ２５の検出用端子２５ａの論理レベルがＬになるため、制御部３０は、装着部１７にコントロールパネル１６が装着されていると判断することができる。
【００２９】
また、上記制御部３０は、パスワード機能を備えている。このパスワード機能は、ユーザによりオン状態またはオフ状態に設定可能である。パスワード機能がオン状態に設定されている場合、制御部３０は、装着部１７に装着されたコントロールパネル１６の電源キー１５ａがオンされたとき、または、リモートコントローラ２２の電源キー２２ａがオンされたときに、ユーザに対してパスワードの入力を要求する。
【００３０】
このパスワードの入力は、ユーザがリモートコントローラ２２のテンキー２２ｅを操作して、複数桁（例えば４桁）の数字を入力することにより実現される。そして、制御部３０は、ユーザが入力したパスワードが予め設定されたパスワードと一致したときにのみ、カラープロジェクタ１１が起動可能となるように制御する。
【００３１】
カラープロジェクタ１１が起動可能になるとは、起動要求、つまり、上記電源キー１５ａまたは２２ａのオン操作に基づいて、上記投射レンズ１３からの光投射を可能にするとともに、コントロールパネル１６またはリモートコントローラ２２からの各種の操作情報に基づいて、カラープロジェクタ１１を各種の動作状態または停止状態に制御可能にすることである。
【００３２】
なお、ユーザの入力したパスワードが予め設定されたパスワードと一致しない場合、制御部３０は、コントロールパネル１６またはリモートコントローラ２２からの各種の操作情報を受け付けず、カラープロジェクタ１１の起動を不可とする。また、パスワード機能がオフ状態に設定されている場合、制御部３０は、パスワードを必要とせずに、カラープロジェクタ１１を起動可能となすように制御する。
【００３３】
さらに、上記制御部３０は、ユーザによりセキュリティレベルを「標準」と、「標準」よりも高い「高」とに選択的に設定可能となっている。
【００３４】
そして、この制御部３０は、装着部１７に装着されたコントロールパネル１６の電源キー１５ａがオンされたとき、または、リモートコントローラ２２の電源キー２２ａがオンされたとき、上記パスワード機能のオン，オフの設定状態と、セキュリティレベルの「標準」，「高」の設定状態と、接続検出機能の検出結果とに基づいて、図６に示すように、動作を制限している。
【００３５】
すなわち、制御部３０は、パスワード機能がオンで、セキュリティレベルが「高」であり、コントロールパネル１６が装着部１７に装着されていないとき、リモートコントローラ２２との通信を不可とし、パスワードの入力を要求せず、カラープロジェクタ１１の起動を不可とするように制御する。
【００３６】
また、制御部３０は、パスワード機能がオンで、セキュリティレベルが「高」であり、コントロールパネル１６が装着部１７に装着されているとき、リモートコントローラ２２との通信を可能とし、パスワードの入力を要求するように制御する。このため、正しいパスワードが入力された場合には、カラープロジェクタ１１が起動可能となる。
【００３７】
さらに、制御部３０は、パスワード機能がオンで、セキュリティレベルが「標準」であり、コントロールパネル１６が装着部１７に装着されていないとき、リモートコントローラ２２との通信を可能とし、パスワードの入力を要求するように制御する。このため、正しいパスワードが入力された場合には、カラープロジェクタ１１が起動可能となる。
【００３８】
また、制御部３０は、パスワード機能がオンで、セキュリティレベルが「標準」であり、コントロールパネル１６が装着部１７に装着されているとき、リモートコントローラ２２との通信を可能とし、パスワードの入力を要求するように制御する。このため、正しいパスワードが入力された場合には、カラープロジェクタ１１が起動可能となる。
【００３９】
さらに、制御部３０は、パスワード機能がオフで、コントロールパネル１６が装着部１７に装着されていないとき、リモートコントローラ２２との通信を可能とし、パスワードの入力を要求するように制御する。すなわち、パスワード機能がオフ状態、つまり、パスワードの入力を必要としない状態に設定されていても、コントロールパネル１６が装着されていない場合には、パスワード機能を自動的にオン状態に切り替えて、パスワードの入力を要求するように制御する。このため、正しいパスワードが入力された場合にのみ、カラープロジェクタ１１が起動可能となる。
【００４０】
また、制御部３０は、パスワード機能がオフで、コントロールパネル１６が装着部１７に装着されているとき、リモートコントローラ２２との通信を可能とし、パスワードの入力を要求しないように制御する。すなわち、パスワードを入力することなく、カラープロジェクタ１１を起動することが可能となる。
【００４１】
図７及び図８は、図６に示した制御部３０の動作をまとめたフローチャートを示している。すなわち、処理が開始（ステップＳ１）され、ステップＳ２で、カラープロジェクタ１１の図示しないＡＣ（alternating current）商用電源プラグがコンセントに差し込まれると、制御部３０は、ステップＳ３で、電力が供給されてスタンバイ状態になる。
【００４２】
この制御部３０のスタンバイ状態において、ステップＳ４で、装着部１７に装着されたコントロールパネル１６の電源キー１５ａ、または、リモートコントローラ２２の電源キー２２ａがオンされると、制御部３０は、ステップＳ５で、パスワード機能がオン状態に設定されているか否かを判別する。
【００４３】
そして、パスワード機能がオン状態に設定されていないと判断された場合（ＮＯ）、つまり、パスワード機能がオフ状態に設定されていると判断された場合、制御部３０は、ステップＳ６で、コントロールパネル１６が装着部１７に装着されているか否かを判別し、装着されていると判断された場合（ＹＥＳ）、ステップＳ１３で、カラープロジェクタ１１を起動可能に制御して、処理を終了（ステップＳ１４）する。
【００４４】
また、上記ステップＳ５でパスワード機能がオン状態に設定されていると判断された場合（ＹＥＳ）、制御部３０は、ステップＳ７で、セキュリティレベルが「標準」に設定されているか否かを判別する。
【００４５】
そして、セキュリティレベルが「標準」に設定されていると判断された場合（ＹＥＳ）、または、上記ステップＳ６でコントロールパネル１６が装着部１７に装着されていないと判断された場合（ＮＯ）、制御部３０は、ステップＳ８で、ユーザに対してパスワードの入力を要求するメッセージを表示部１４に表示する。
【００４６】
その後、制御部３０は、ステップＳ９で、ユーザがリモートコントローラ２２のテンキー２２ｅを操作して入力したパスワードが、予め設定されたパスワードと一致したか否かを判別し、一致したと判断された場合（ＹＥＳ）、ステップＳ１３で、カラープロジェクタ１１を起動可能に制御して、処理を終了（ステップＳ１４）する。
【００４７】
また、上記ステップＳ７でセキュリティレベルが「標準」に設定されていないと判断された場合（ＮＯ）、つまり、セキュリティレベルが「高」に設定されていると判断された場合、制御部３０は、ステップＳ１０で、コントロールパネル１６が装着部１７に装着されているか否かを判別する。
【００４８】
そして、コントロールパネル１６が装着部１７に装着されていると判断された場合（ＹＥＳ）、制御部３０は、ステップＳ８の処理に移行される。また、上記ステップＳ１０でコントロールパネル１６が装着部１７に装着されていないと判断された場合（ＮＯ）、制御部３０は、ステップＳ１２で、カラープロジェクタ１１を起動不可に設定し、オンされている電源キー１５ａまたは２２ａをオフさせて、ステップＳ３の処理に戻される。
【００４９】
さらに、上記ステップＳ９でユーザの入力したパスワードが予め設定されたパスワードと一致しないと判断された場合（ＮＯ）、制御部３０は、ステップＳ１１で、パスワードの不一致が予め設定された回数ｎ（例えば５回）に達したか否かを判別し、その回数に達していないと判断された場合（ＮＯ）、ステップＳ８の処理に移行される。
【００５０】
また、上記ステップＳ１１でパスワードの不一致が予め設定された回数ｎに達したと判断された場合（ＹＥＳ）、制御部３０は、ステップＳ１２で、カラープロジェクタ１１を起動不可に設定し、オンされている電源キー１５ａまたは２２ａをオフさせて、ステップＳ３の処理に戻される。
【００５１】
上記した実施の形態によれば、装着部１７に装着されたコントロールパネル１６の電源キー１５ａ、または、リモートコントローラ２２の電源キー２２ａがオンされたときに、パスワード機能の設定状態と、セキュリティレベルの設定状態と、接続検出機能の検出結果との組み合わせに基づいて、カラープロジェクタ１１の起動を可または不可に制御するようにしている。これにより、簡易な構成でカラープロジェクタ１１を盗難や不正使用等から十分に保護することが可能となるとともに、所有者に対しても取り扱いの自由度を高めて実用に適するものとなる。
【００５２】
特に、セキュリティレベルを「高」と「標準」との２種類に選択的に設定可能とし、セキュリティレベルが「高」の場合には、パスワード機能がオン状態であっても、コントロールパネル１６が非装着であれば、リモートコントローラ２２との通信を不可としてカラープロジェクタ１１を起動不可にしている。これに対し、セキュリティレベルが「標準」の場合には、パスワード機能がオン状態であれば、コントロールパネル１６が非装着であっても、リモートコントローラ２２との通信を可としてパスワードを要求するようにしている。
【００５３】
すなわち、同じコントロールパネル１６の非装着状態であっても、ユーザによるセキュリティレベルの設定に応じて、カラープロジェクタ１１を起動不可と起動可能とに選択的に制御することができるようにしたので、所有者に対しての取り扱いの自由度を高めて実用性を向上させることができる。
【００５４】
また、パスワード機能がオフ状態、つまり、パスワードの入力を必要としない状態に設定されていても、コントロールパネル１６が装着されていない場合には、パスワード機能をオン状態に切り替えて、パスワードの入力を要求するようにしたので、このような点でも、カラープロジェクタ１１を盗難や不正使用等から十分に保護することが可能となる。
【００５５】
次に、上記したパスワード機能のオンオフ設定、セキュリティレベルの設定、パスワードの変更について説明する。すなわち、先のステップＳ１３でカラープロジェクタ１１が起動可能に制御された状態において、装着部１７に装着されたコントロールパネル１６のメニューキー１５ｂ、または、リモートコントローラ２２のメニューキー２２ｂを操作する。
【００５６】
すると、上記制御部３０は、表示部１４に、図９（ａ）に示すようなトップメニュー画面を表示させる。このトップメニュー画面の表示状態で、装着部１７に装着されたコントロールパネル１６の所定の（例えば下方向の）方向キー１５ｃ、または、リモートコントローラ２２の所定の（例えば下方向の）方向キー２２ｃを操作すると、操作する毎に、図９（ｂ）に示すようなパスワード機能設定画面、図９（ｃ）に示すようなセキュリティレベル設定画面、図９（ｄ）に示すようなパスワード変更画面に順次切り替わり、再び、図９（ａ）に示すトップメニュー画面に戻る。
【００５７】
このため、ユーザは、自分の設定したい機能に対応する画面を表示させて、装着部１７に装着されたコントロールパネル１６の決定キー１５ｄ、または、リモートコントローラ２２の決定キー２２ｄを操作する。
【００５８】
例えば、図９（ｂ）に示すパスワード機能設定画面が選択され決定されたとする。このパスワード機能設定画面では、パスワード機能をオン状態に設定するための「する」という項目と、パスワード機能をオフ状態に設定するための「しない」という項目との２種類が表示されている。
【００５９】
このため、ユーザは、装着部１７に装着されたコントロールパネル１６の所定の（例えば左右方向の）方向キー１５ｃ、または、リモートコントローラ２２の所定の（例えば左右方向の）方向キー２２ｃを操作して所望の項目を選択し、決定キー１５ｄまたは２２ｄを操作することにより、パスワード機能をオン状態またはオフ状態に設定することが可能となる。
【００６０】
また、例えば、図９（ｃ）に示すセキュリティレベル設定画面が選択され決定されたとする。このセキュリティレベル設定画面では、セキュリティレベルを「高」に設定するための「高」という項目と、セキュリティレベルを「標準」に設定するための「標準」という項目との２種類が表示されている。
【００６１】
このため、ユーザは、装着部１７に装着されたコントロールパネル１６の所定の（例えば左右方向の）方向キー１５ｃ、または、リモートコントローラ２２の所定の（例えば左右方向の）方向キー２２ｃを操作して所望の項目を選択し、決定キー１５ｄまたは２２ｄを操作することにより、セキュリティレベルを「高」または「標準」に設定することが可能となる。
【００６２】
さらに、例えば、図９（ｄ）に示すパスワード変更画面が選択され決定されたとする。このパスワード変更画面では、数字による４桁のパスワードを設定するための項目が表示されている。この場合、ユーザは、リモートコントローラ２２のテンキー２２ｅを操作して４つの数字を入力し、決定キー２２ｄを操作することにより、パスワードを変更することが可能となる。
【００６３】
なお、上記した実施の形態では、カラープロジェクタ１１のキャビネット１２に表示部１４を設置し、この表示部１４に、カラープロジェクタ１１の現在状態の表示や、カラープロジェクタ１１を各種のモードに設定するためのメニュー画面の表示を行なわせるようにしている。
【００６４】
しかしながら、これに限らず、例えば、カラープロジェクタ１１の映像投射機能を利用し、ＯＳＤ（on screen display）表示により実際の投影映像内に、現在状態を表示させたり、メニュー画面を表示させて各種モードの設定を行なうようにしたりしても良いことはもちろんである。
【００６５】
ここで、図１０に示すように、上記コントロールパネル１６の操作部１５の形成されている面と反対側の面にラベル３２を貼り付け、このラベル３２にパスワードを記載して表示するようにすれば便利である。この場合、ラベル３２には、カラープロジェクタ１１の製造者側で出荷時に入力する所定のパスワード（図中＊で示す）が既に記述されているとともに、ユーザがパスワードを変更した場合に備えて、変更後のパスワードを記述する複数の欄（図中括弧で示す）が設けられている。
【００６６】
また、図１１に示すように、コントロールパネル１６の操作部１５の形成されている面と反対側の面に、４桁の数字をそれぞれダイヤル式に変更可能な数字記憶部３３を設置しておき、この数字記憶部３３に現在設定されているパスワードを記憶させて表示しておくようにすることも可能である。
【００６７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６８】
【図１】この発明の実施の形態を示すもので、カラープロジェクタの外観を説明するために示す斜視図。
【図２】同実施の形態におけるカラープロジェクタのキャビネットとコントロールパネルとの関係を説明するために示す斜視図。
【図３】同実施の形態におけるカラープロジェクタのキャビネットとコントロールパネルとの関係を説明するために示す上面図。
【図４】同実施の形態におけるカラープロジェクタの信号処理系の概略を説明するために示すブロック構成図。
【図５】同実施の形態におけるカラープロジェクタのキャビネットとコントロールパネルとの接続検出機能を説明するために示すブロック構成図。
【図６】同実施の形態におけるカラープロジェクタの制御部が行なう主要な動作を説明するために示す図。
【図７】同実施の形態におけるカラープロジェクタの制御部が行なう主要な動作の一部を説明するために示すフローチャート。
【図８】同実施の形態におけるカラープロジェクタの制御部が行なう主要な動作の残部を説明するために示すフローチャート。
【図９】同実施の形態におけるカラープロジェクタの各種機能を設定する際のメニュー画面の一例を説明するために示す図。
【図１０】同実施の形態におけるカラープロジェクタのパスワードの記憶手法の一例を説明するために示す図。
【図１１】同実施の形態におけるカラープロジェクタのパスワードの記憶手法の他の例を説明するために示す図。
【符号の説明】
【００６９】
１１…カラープロジェクタ、１２…キャビネット、１３…投射レンズ、１４…表示部、１５…操作部、１６…コントロールパネル、１７…装着部、１８…側面、１９…ガイド部、２０…側面、２１…ガイド溝、２２…リモートコントローラ、２３…受信部、２４，２５…コネクタ、２６…入力端子、２７…映像信号処理部、２８…映像投射部、２９…スクリーン、３０…制御部、３１…電源端子、３２…ラベル、３３…数字記憶部。
【図１】
2008033038.tif 000003
【図２】
2008033038.tif 000004
【図３】
2008033038.tif 000005
【図４】
2008033038.tif 000006
【図５】
2008033038.tif 000007
【図６】
2008033038.tif 000008
【図７】
2008033038.tif 000009
【図８】
2008033038.tif 000010
【図９】
2008033038.tif 000011
【図１０】
2008033038.tif 000012
【図１１】
2008033038.tif 000013